(57)【特許請求の範囲】
【請求項１】
複数の電気機器がネットワークに接続されており、ＩＰアドレスに機器ＩＤが含まれるインターネットプロトコルに基づいて通信を行う通信システムであって、
前記電気機器は、
前記ネットワークを介したデータの送受信を行うインタフェースと、
電気機器の機器ＩＤと機種データが対応付けて記憶されている第１の記憶手段と、
前記ネットワークに接続された電気機器の機種データとＩＰアドレスを対応付けて記憶する第２の記憶手段と、
前記インタフェースが前記ネットワークに接続された場合に、前記インタフェースを介して前記ネットワークに接続されている他の電気機器に対してＩＣＰＭエコーパケットを要求するＩＣＰＭリクエストパケットを放送し、当該ＩＣＰＭリクエストパケットに応じて前記インタフェースを介して当該他の電気機器が送信するＩＣＰＭエコーパケットを受信し、当該受信したＩＣＰＭエコーパケットに含まれるＩＰアドレスが前記第２の記憶手段に登録されていない場合に、当該ＩＰアドレスに含まれる機器ＩＤを元に前記第１の記憶手段を用いて当該他の電気機器の機種を特定し、当該ＩＰアドレスと特定した当該他の電気機器の機種データとを対応付けて前記第２の記憶手段に記憶する制御手段と
を有する通信システム。
【請求項２】
前記制御手段は、前記インタフェースが前記ネットワークに初めて接続された場合に、前記ＩＣＰＭリクエストパケットを放送する
請求項１に記載の通信システム。
【請求項３】
前記制御手段は、前記インタフェースを介して前記ネットワークに接続されている他の電気機器から、ＩＣＰＭエコーパケットを送信することを要求するＩＣＰＭリクエストパケットを受信すると、当該ＩＣＰＭエコーパケットを当該ＩＣＰＭリクエストパケットの送信元の当該他の電気機器に前記インタフェースから前記ネットワークを介して送信する
請求項１に記載の通信システム。
【請求項４】
前記制御手段は、前記受信したＩＣＰＭエコーパケットに含まれるＩＰアドレスが前記第２の記憶手段に既に登録されていると判断した場合に、所定時間経過後に、処理を終了する
請求項１に記載の通信システム。
【請求項５】
第１の電気機器を含む複数の電気機器がネットワークに接続されており、ＩＰアドレスに機器ＩＤが含まれるインターネットプロトコルに基づいて通信を行う通信方法であって、
第１の電気機器が、前記ネットワークに接続された場合に、前記ネットワークに接続されている他の電気機器に対してＩＣＰＭエコーパケットを要求するＩＣＰＭリクエストパケットを放送し、
前記他の電気機器が、前記ＩＣＰＭリクエストパケットに応じて、ＩＣＰＭエコーパケットを前記第１の電気機器に送信し、
前記第１の電気機器が、前記他の電気機器から受信した前記ＩＣＰＭエコーパケットに含まれるＩＰアドレスが登録されていない場合に、当該ＩＰアドレスに含まれる機器ＩＤを元に、対応付けて記憶されている電気機器の機器ＩＤと機種データを用いて、当該他の電気機器の機種を特定し、当該ＩＰアドレスと特定した当該他の電気機器の機種データとを対応付けて記憶する
通信方法。
【請求項６】
前記第１の電気機器は、前記ネットワークに初めて接続された場合に、前記ＩＣＰＭリクエストパケットを放送する
請求項５に記載の通信方法。
【請求項７】
前記第１の電気機器は、前記ネットワークに接続されている他の電気機器からＩＣＰＭエコーパケット送信することを要求するＩＣＰＭリクエストパケットを受信すると、当該ＩＣＰＭエコーパケットを当該ＩＣＰＭリクエストパケットの送信元の当該他の電気機器に前記ネットワークを介して送信する
請求項５に記載の通信方法。
【請求項８】
前記第１の電気機器は、前記受信したＩＣＰＭエコーパケットに含まれるＩＰアドレスが既に登録されていると判断した場合に、所定時間経過後に、処理を終了する
請求項５に記載の通信方法。
【請求項９】
ＩＰアドレスに機器ＩＤが含まれるインターネットプロトコルに基づいて、ネットワークに接続されている他の電気機器と通信を行う電気機器であって、
前記ネットワークを介したデータの送受信を行うインタフェースと、
電気機器の機器ＩＤと機種データが対応付けて記憶されている第１の記憶手段と、
前記ネットワークに接続された電気機器の機種データとＩＰアドレスを対応付けて記憶する第２の記憶手段と、
前記インタフェースが前記ネットワークに接続された場合に、前記インタフェースを介して前記ネットワークに接続されている前記他の電気機器に対してＩＣＰＭエコーパケットを要求するＩＣＰＭリクエストパケットを放送し、当該ＩＣＰＭリクエストパケットに応じて前記インタフェースを介して前記他の電気機器が送信するＩＣＰＭエコーパケットを受信し、当該受信したＩＣＰＭエコーパケットに含まれるＩＰアドレスが前記第２の記憶手段に登録されていない場合に、当該ＩＰアドレスに含まれる機器ＩＤを元に前記第１の記憶手段を用いて前記他の電気機器の機種を特定し、当該ＩＰアドレスと特定した前記他の電気機器の機種データとを対応付けて前記第２の記憶手段に記憶する制御手段と
を有する電気機器。
【請求項１０】
前記制御手段は、前記インタフェースが前記ネットワークに初めて接続された場合に、前記ＩＣＰＭリクエストパケットを放送する
請求項９に記載の電気機器。
【請求項１１】
前記制御手段は、前記インタフェースを介して前記ネットワークに接続されている他の電気機器から、ＩＣＰＭエコーパケットを送信することを要求するＩＣＰＭリクエストパケットを受信すると、当該ＩＣＰＭエコーパケットを当該ＩＣＰＭリクエストパケットの送信元の当該他の電気機器に前記インタフェースから前記ネットワークを介して送信する
請求項９に記載の電気機器。
【請求項１２】
前記制御手段は、前記受信したＩＣＰＭエコーパケットに含まれるＩＰアドレスが前記第２の記憶手段に既に登録されていると判断した場合に、所定時間経過後に、処理を終了する
請求項９に記載の電気機器。
【発明の詳細な説明】
【０００１】
【発明の属する技術分野】
本発明は、例えば、家庭内などに配設された複数の電気機器をネットワークで接続する場合に、ネットワーク上に接続された他の電気機器のＩＰアドレスなどの識別データを自動的に特定して設定できる通信システムおよびその方法と電気機器に関する。
【０００２】
【従来の技術】
例えば、家庭内の電気機器には、家庭内に構築されたネットワークに接続され、ネットワークを介して他の電気機器と通信を行うものがある。
このような電気機器をネットワークに初めて接続する場合には、例えば、ＤＨＣＰ(Dynamic Host Configuration Protocol) などを用いて、当該電気機器のＩＰアドレスなどのネットワークを利用するために登録が必要な情報を自動的に設定することができる。
【０００３】
【発明が解決しようとする課題】
しかしながら、従来のシステムでは、電気機器をネットワークに初めて接続する場合に、上述したようにＤＨＣＰなどを用いて当該電気機器のＩＰアドレスを自動的に設定できるが、当該電気機器がネットワークを介して他の電気機器を利用する場合に必要となる当該他の電気機器のＩＰアドレス等については、ユーザが、当該ネットワークの管理者に当該他の電気機器のＩＰアドレスを問い合わせるなどして調べ、それによって得たＩＰアドレスと機種を、初めてネットワークに接続した電気機器に設定する必要があり、負担が大きいという問題がある。
【０００４】
本発明は、かかる事情に鑑みてなされたものであり、ネットワークに新たな電気機器を接続し、当該電気機器から他の電気機器を利用する場合に、当該新たな電気機器に対してユーザが行う手続負担を軽減できる通信システムおよびその方法と電気機器を提供することを目的とする。
【０００５】
【課題を解決するための手段】
上記目的を達成するため、第１の発明の通信システムは、複数の電気機器がネットワークに接続されており、ＩＰアドレスに機器ＩＤが含まれるインターネットプロトコルに基づいて通信を行う通信システムであって、前記電気機器は、前記ネットワークを介したデータの送受信を行うインタフェースと、電気機器の機器ＩＤと機種データが対応付けて記憶されている第１の記憶手段と、前記ネットワークに接続された電気機器の機種データとＩＰアドレスを対応付けて記憶する第２の記憶手段と、前記インタフェースが前記ネットワークに接続された場合に、前記インタフェースを介して前記ネットワークに接続されている他の電気機器に対してＩＣＰＭエコーパケットを要求するＩＣＰＭリクエストパケットを放送し、当該ＩＣＰＭリクエストパケットに応じて前記インタフェースを介して当該他の電気機器が送信するＩＣＰＭエコーパケットを受信し、当該受信したＩＣＰＭエコーパケットに含まれるＩＰアドレスが前記第２の記憶手段に登録されていない場合に、当該ＩＰアドレスに含まれる機器ＩＤを元に前記第１の記憶手段を用いて当該他の電気機器の機種を特定し、当該ＩＰアドレスと特定した当該他の電気機器の機種データとを対応付けて前記第２の記憶手段に記憶する制御手段とを有する。
【０００６】
第１の発明の通信システムの作用は以下のようになる。新たな電気機器がネットワークに接続されると、当該電気機器の制御手段によって、当該電気機器のインタフェースを介して前記ネットワークに接続されている他の電気機器に対してＩＣＰＭエコーパケットを要求するＩＣＰＭリクエストパケットが放送される。そして、当該他の電気機器の制御手段が、前記ＩＣＰＭリクエストパケットに応じてＩＣＰＭエコーパケットを、上記新たに接続された電気機器に送信する。そして、当該新たに接続された電気機器の制御手段が、受信した前記ＩＣＰＭエコーパケットのＩＰアドレスを元に前記他の電気機器の機種を特定し、当該ＩＰアドレスと特定した当該他の電気機器の機種データとを対応付けて記憶手段に記憶する。
【０００７】
また、第１の発明の通信システムは、好ましくは、前記制御手段は、前記インタフェースが前記ネットワークに初めて接続された場合に、前記ＩＣＰＭリクエストパケットを放送する。また、第１の発明の通信システムは、好ましくは、前記制御手段は、前記インタフェースを介して前記ネットワークに接続されている他の電気機器から、ＩＣＰＭエコーパケットを送信することを要求するＩＣＰＭリクエストパケットを受信すると、当該ＩＣＰＭエコーパケットを当該ＩＣＰＭリクエストパケットの送信元の当該他の電気機器に前記インタフェースから前記ネットワークを介して送信する。また、第１の発明の通信システムは、好ましくは、前記制御手段は、前記受信したＩＣＰＭエコーパケットに含まれるＩＰアドレスが前記第２の記憶手段に既に登録されていると判断した場合に、所定時間経過後に、処理を終了する。
【０００８】
また、第２の発明の通信方法は、第１の電気機器を含む複数の電気機器がネットワークに接続されており、ＩＰアドレスに機器ＩＤが含まれるインターネットプロトコルに基づいて通信を行う通信方法であって、第１の電気機器が、前記ネットワークに接続された場合に、前記ネットワークに接続されている他の電気機器に対してＩＣＰＭエコーパケットを要求するＩＣＰＭリクエストパケットを放送し、前記他の電気機器が、前記ＩＣＰＭリクエストパケットに応じて、ＩＣＰＭエコーパケットを前記第１の電気機器に送信し、前記第１の電気機器が、前記他の電気機器から受信した前記ＩＣＰＭエコーパケットに含まれるＩＰアドレスが登録されていない場合に、当該ＩＰアドレスに含まれる機器ＩＤを元に、対応付けて記憶されている電気機器の機器ＩＤと機種データを用いて、当該他の電気機器の機種を特定し、当該ＩＰアドレスと特定した当該他の電気機器の機種データとを対応付けて記憶する。
【０００９】
また、第３の発明の電気機器は、ＩＰアドレスに機器ＩＤが含まれるインターネットプロトコルに基づいて、ネットワークに接続されている他の電気機器と通信を行う電気機器であって、前記ネットワークを介したデータの送受信を行うインタフェースと、電気機器の機器ＩＤと機種データが対応付けて記憶されている第１の記憶手段と、前記ネットワークに接続された電気機器の機種データとＩＰアドレスを対応付けて記憶する第２の記憶手段と、前記インタフェースが前記ネットワークに接続された場合に、前記インタフェースを介して前記ネットワークに接続されている前記他の電気機器に対してＩＣＰＭエコーパケットを要求するＩＣＰＭリクエストパケットを放送し、当該ＩＣＰＭリクエストパケットに応じて前記インタフェースを介して前記他の電気機器が送信するＩＣＰＭエコーパケットを受信し、当該受信したＩＣＰＭエコーパケットに含まれるＩＰアドレスが前記第２の記憶手段に登録されていない場合に、当該ＩＰアドレスに含まれる機器ＩＤを元に前記第１の記憶手段を用いて前記他の電気機器の機種を特定し、当該ＩＰアドレスと特定した前記他の電気機器の機種データとを対応付けて前記第２の記憶手段に記憶する制御手段とを有する。
【００１０】
【発明の実施の形態】
以下、本発明の実施形態に係わる通信システムについて説明する。
図１は、本実施形態の通信システム１の全体構成図である。
図１に示すように、通信システム１は、家庭内に構築されたネットワーク８を介して、当該家庭内に配設されたビデオ２、エアコン３、冷蔵庫４およびテレビ５が接続されている。
ビデオ２、エアコン３、冷蔵庫４およびテレビ５は、例えば、インターネットプロトコル（ＩＰ）のＩＰｖ６に基づいて相互間で通信を行う。
ここで、ビデオ２、エアコン３、冷蔵庫４およびテレビ５が本発明の電気機器に対応し、ネットワーク８が本発明のネットワークに対応している。
【００１１】
通信システム１の動作概要
例えば、ネットワーク８にビデオ２、エアコン３および冷蔵庫４が接続されている状態で、テレビ５を新たに接続した場合を考える。
この場合には、テレビ５が、ネットワーク８上に他の電気機器のＩＣＭＰエコーを要求するリクエストパケットを放送する。
そして、ビデオ２、エアコン３および冷蔵庫４が、当該放送されたリクエストパケットを受信すると、それぞれが自らに割り当てられたＩＰアドレス（本発明におけるグローバル識別データ）を格納したＩＣＭＰエコーパケットを、受信したリクエストパケット内に格納されたテレビ５のＩＰアドレスを用いてテレビ５に送信する。
テレビ５は、ビデオ２、エアコン３および冷蔵庫４から受信したＩＣＭＰエコーパケット内に規定されたＩＰアドレス内のそれぞれの機器のベンダおよび当該ベンダ内で当該機器を識別する機器ＩＤ（本発明におけるローカル識別データ）に対応する機器の機種を特定し、当該特定した機種を示す機種データと上記機器のＩＰアドレスとを対応付けて記憶する。
【００１２】
これにより、ネットワーク８にテレビ５を新たに接続した場合に、ネットワーク８上に既に接続されているビデオ２、エアコン３および冷蔵庫４の各々の機器に対応する機種データとそのＩＰアドレスとが自動的にテレビ５に登録される。
【００１３】
通信システム１の各構成要素の説明
〔テレビ５〕
図２は、図１に示すテレビ５の機能ブロック図である。
図２に示すように、テレビ５は、例えば、ＲＡＭ２１、ＲＡＭ２２、ＲＡＭ２３、スイッチ２４、インタフェース２５、タイマ２６、ＣＰＵ２７およびテレビ機能部２９を有し、これらがバス３０を介して接続されている。
ここで、インタフェース２５が本発明のインタフェースに対応し、ＣＰＵ２７が本発明の制御手段に対応し、ＲＡＭ２１，２２が本発明の記憶手段に対応している。
【００１４】
ＲＡＭ２１は、例えば、ネットワーク８上に接続された電気機器の機器ＩＤと、当該電気機器の機種を示す機種データとを対応付けて示す機器ＩＤ／機種データ３１を格納（記憶）している。
【００１５】
ＲＡＭ２２は、ネットワーク８上に接続された電気機器の機種データと、当該電気機器のＩＰアドレスとを対応付けて示す機種／ＩＰアドレス３２を格納（記憶）している。
機種／ＩＰアドレス３２は、後述するように、テレビ５をネットワーク８に初めて接続したときに自動的にＲＡＭ２１に格納される。
【００１６】
ＲＡＭ２３は、インタフェース２５を介してネットワーク８から受信したＩＣＭＰエコーパケット３３を格納する。
スイッチ２４は、例えば、テレビ５のテレビ機能部２９を駆動するための電源スイッチであり、ユーザによる操作に応じた操作信号をバス３０を介してＣＰＵ２７に送信する。
【００１７】
インタフェース２５は、図１に示すネットワーク８とバス３０との間でのパケット（ＩＰパケット）の送受信を媒介する。
タイマ２６は、例えば、操作が行われてからの時間や、次に何らかの処理を行うまでの時間をカウントする。また、タイマ２６は、時刻を生成するものでもよい。
ＣＰＵ２７は、テレビ５の処理を統括して制御する。
具体的には、ＣＰＵ２７は、インタフェース２５が初めてネットワーク８に接続されたことを検出すると、ＩＣＭＰリクエストパケット（ＩＰパケット）を、バス３０からインタフェース２５を介してネットワーク８に放送（送信）する。
また、ＣＰＵ２７は、上記ＩＣＭＰリクエストパケットに応じたＩＣＭＰエコーパケットをインタフェース２５を介して受信すると、当該ＩＣＭＰエコーパケットに格納されたＩＰアドレス内の機器ＩＤを用いて、機器ＩＤ／機種データ３１により機種を特定し機種／ＩＰアドレス３２を生成し、ＲＡＭ２２に格納する。
すなわち、ＣＰＵ２７は、機種／ＩＰアドレス３２を自動生成する。
【００１８】
ＩＣＭＰリクエストパケットは、図３（Ａ）に示すように、送信元のＩＰアドレスを格納しており、ＩＰアドレスには、図３（Ｂ）に示すように、当該ＩＰアドレスが割り当てられた電気機器（例えば、テレビ５）の提供者であるベンダを識別するベンダコード、並びに当該ベンダ内で当該電気機器を識別する機器ＩＤが含まれている。
また、ＣＰＵ２７は、インタフェース２５を介してＩＣＭＰリクエストパケットを受信すると、予めテレビ５に割り当てられたＩＰアドレスを格納したＩＣＭＰエコーパケットをインタフェース２５を介して、ＩＣＭＰリクエストパケットの送信元に送信する。
【００１９】
ＣＰＵ２７の処理は、所定のプログラムを実行して行われる。ＣＰＵ２７の処理については、後述する通信システム１の動作例に関連付けて詳細に説明する。
【００２０】
テレビ機能部２９は、テレビ信号の受信処理および表示処理などを行う。
【００２１】
〔ビデオ２、エアコン３および冷蔵庫４〕
ビデオ２、エアコン３および冷蔵庫４は、図２に示すテレビ５の機能ブロックのうち、テレビ機能部２９をそれぞれビデオ機能部、エアコン機能部および冷蔵庫機能部に置き換える点を除いて、基本的に、テレビ５と同じである。
【００２２】
以下、図２に示すテレビ５内の処理と関連付けて図１に示す通信システム１の動作例を説明する。
テレビ５内の処理は、図２に示すＣＰＵ２７が、ＲＡＭなどの記憶媒体に記録されたプログラムを実行して行われる。
図４は、当該動作例を説明するためのフローチャートである。
ステップＳＴ１：
テレビ５の図２に示すＣＰＵ２７によって、インタフェース２５がネットワーク８に初めて接続されたと判断すると、ステップＳＴ２の処理に進む。
【００２３】
ステップＳＴ２：
ＣＰＵ２７が、ＩＣＭＰリクエストパケットを生成し、これをインタフェース２５からネットワーク８に放送（送信）する。
当該ＩＣＭＰリクエストパケットには、テレビ５の図３（Ｂ）に示すＩＰアドレスが格納されている
【００２４】
ステップＳＴ３：
ステップＳＴ２でテレビ５が送信したＩＣＭＰリクエストパケットは、図１に示すネットワーク８に接続されたビデオ２、エアコン３および冷蔵庫４によって受信される。
ビデオ２、エアコン３および冷蔵庫４は、受信したＩＣＭＰリクエストパケットに応じて、自らのＩＰアドレスを含むＩＣＭＰエコーパケットを生成し、これを受信したＩＣＭＰリクエストパケット内に格納されたテレビ５のＩＰアドレスを用いて、ネットワーク８を介してテレビ５に送信する。
ビデオ２、エアコン３および冷蔵庫４が送信したＩＣＭＰエコーパケットは、テレビ５の図２に示すインタフェース２５で受信され、ＲＡＭ２３に格納される。
【００２５】
ステップＳＴ４：
テレビ５の図２に示すＣＰＵ２７が、ステップＳＴ３で受信したＩＣＭＰエコーパケットに格納されたＩＰアドレスを基に、当該機器が既に機種／ＩＰアドレス３２として登録されているか否かを判断し、登録されていると判断した場合にステップＳＴ５の処理に進み、登録されていないと判断した場合にステップＳＴ６の処理に進む。
【００２６】
ステップＳＴ５：
テレビ５の図２に示すＣＰＵ２７が、予め規定した所定の時間が経過したか否かを判断し、経過したと判断した場合には処理を終了して、経過していないと判断した場合にはステップＳＴ３の処理に戻る。
当該所定の時間は、ネットワーク８上に既に接続されている全ての電気機器からＩＣＭＰエコーパケットを受信したと考えられる時間を基に規定される。
【００２７】
ステップＳＴ６：
ＣＰＵ２７が、ステップＳＴ３で受信したＩＣＭＰエコーパケットに格納されたＩＰアドレス内の機器ＩＤを用いて、当該機器ＩＤと、それに対応する機種との対応付けを示す機器ＩＤ／機種データ３１から機種を特定する。
【００２８】
ステップＳＴ７：
ＣＰＵ２７が、ステップＳＴ３で受信したＩＣＭＰエコーパケット格納されたＩＰアドレスとステップ６で特定した機種とを用いて、機種とＩＰアドレスとを対応付けて示す機種／ＩＰアドレス３２を生成し、これを図２に示すＲＡＭ２２に記憶（登録）する。
【００２９】
以上説明したように、通信システム１によれば、例えば、新たにテレビ５をネットワーク８に接続した場合に、既にネットワーク８に接続されているビデオ２、エアコン３および冷蔵庫４のＩＰアドレス、および機種データをテレビ５に自動的に登録できる。そのため、ユーザは、ビデオ２、エアコン３および冷蔵庫４のＩＰアドレスを問い合わせて手動でテレビ５に設定する必要がなく、負担が軽減される。
また、通信システム１によれば、ＩＰアドレスなどのデータを入力する入力手段を備えていない電気機器をネットワーク８に接続することが可能になる。
また、通信システム１によれば、ＩＰｖ６で規定されたＩＣＭＰエコーを利用しているので、ＩＣＭＰリクエストパケットを受信した電気機器は、ＩＣＭＰエコーパケットにより、特別なソフトウェアをインストールすることなく、小さな処理負担で応答できる。そのため、ネットワーク８に多様な電気機器を接続することが可能になる。
【００３０】
また、通信システム１によれば、ネットワーク８に新たに接続された電気機器が、ＩＣＭＰリクエストパケットをネットワーク８上に放送するため、他の電気機器のＩＰパケットを非常に効率的に要求して取得でき、ネットワーク８の通信負荷を小さくできる。
また、通信システム１によれば、上述したように各電気機器が送信するＩＰパケット自体に意味があり、その中身について規定されるプロトコルは不問であるため、家電製品の製造メーカが多岐に渡ったり、同一家電メーカでも時を経て、プロトコルの不一致が生じた場合でも、上述した動作を適切に行うことができる。
【００３１】
本発明は上述した実施形態には限定されない。
例えば、上述した実施形態では、図２に示すように複数のＲＡＭを用いた場合を例示したが、各データを同じＲＡＭに記憶する構成にしてもよい。
なお、ＲＡＭ２１，２２に記憶されたデータはネットワークを介してサーバ装置にアクセスすることで更新してもよい。
【００３２】
【発明の効果】
本発明によれば、ネットワークに新たな電気機器を接続し、当該電気機器から他の電気機器を利用する場合に、当該新たな電気機器に対してユーザが行う手続負担を軽減できる通信システムおよびその方法と電気機器を提供することができる。
【図面の簡単な説明】
【図１】図１は、本発明の実施形態の通信システムの全体構成図である。
【図２】図２は、図１に示すテレビの機能ブロック図である。
【図３】図３は、図１に示す各電気機器が送受信するＩＰパケットのフォーマットを説明するための図である。
【図４】図４は、図１に示す通信システムの動作例を説明するための図である。
【符号の説明】
１…通信システム、２…ビデオ、３…エアコン、４…冷蔵庫、５…テレビ、２１，２２，２３…ＲＡＭ、２４…スイッチ、２５…インタフェース、２６…タイマ、２７…ＣＰＵ、２９…テレビ機能部
【図１】
0004006997.tif 000002
【図２】
0004006997.tif 000003
【図３】
0004006997.tif 000004
【図４】
0004006997.tif 000005